(57)【要約】本発明は、品物を収容するためのかごを備え、このかごの背面がかごの内部へ傾斜可能で、幼児を乗せるためのフラップにより形成されており、このフラップが脚用開口部を備えた支持壁と、支持壁において水平方向軸線を中心にして旋回可能に支承され、垂直棒を備えた背壁部と座席板とを備えており、この座席板が支持壁において水平方向軸線を中心にして運動可能に支承されており、かつ背壁部において支持されていて、この座席板を支持フィンガーを用いて、各支持フィンガーが垂直棒に当接するように後方から把持しており、その際フラップの使用状態−このフラップが幼児を乗せるのに適した−において、背壁部が支持壁から旋回して離間されており、かつフラップの非使用状態において支持壁に当接している様式の、積み重ね可能なショッピングカートに関する。本発明は、背壁部の二本の隣接した垂直棒の間に、フラップを組立てる際に、支持フィンガーの一つを中に入れるようになっている拡開部分が設けられていること、および背壁部が旋回する際に、座席板が背壁部と境を接しているその縁部でもって、背壁部の内側に沿って滑動するような構成になっていることを特徴とする。
2006505446.tif 000002
【特許請求の範囲】
【請求項１】
品物を収容するためのかご（３）を備え、このかごの背面（５）が、かごの内部へ旋回可能で、かつ幼児を乗せるためのフラップ（６）により形成されており、このフラップが脚用開口部（８）を備えた支持壁（７）と、支持壁（７）において水平方向軸線（１０）を中心にして旋回可能に支承され、垂直棒（１７）を備えた背壁部（１２）と座席板（２０）とを備えており、
この座席板が、支持壁（７）において水平方向軸線（１４ａ）を中心にして運動可能に支承されており、かつ背壁部（１２）において支持されていて、この座席板を支持フィンガー(２２)を用いて、各支持フィンガー（２２）が垂直棒（１７）に当接するように後方から把持しており、
その際、フラップ（６）の使用状態−このフラップが幼児を乗せるのに適した−において、背壁部（１２）が支持壁（７）から旋回して離間されており、かつフラップ（６）の非使用状態において支持壁（７）に当接している様式の、積み重ね可能なショッピングカート（１）において、
背壁部（１２）の二本の隣接した垂直棒（１７）の間に、フラップ（６）を組立てる際に、支持フィンガー（２２）の一つを中に入れるようになっている拡開部分（１８）が設けられていること、
および
背壁部（１２）を旋回させる際に、座席板（２０）が背壁部（１２）と境を接しているその縁部（１６）でもって、背壁部（１２）の内側（２５）に沿って滑動するような構成になっていることを特徴とする積み重ね可能なショッピングカート。
【請求項２】
拡開部分（１８）が、垂直棒（１７）の一方の曲折により形成されているかあるいは段差を作ることにより形成されていることを特徴とする請求項１記載の。
【請求項３】
拡開部分（１８）の幅が、二つの垂直棒（１７）間の間隔よりも大きいことを特徴とする請求項１または２に記載の積み重ね可能なショッピングカート。
【請求項４】
座席板（２０）において、二本以上の支持フィンガー（２２）が設けられていることを特徴とする請求項１〜３のいずれか一つに記載の積み重ね可能なショッピングカート。
【請求項５】
支持壁（７）において、脚用開口部（８）を閉じる板が旋回可能に設けられていることを特徴とする請求項１〜４のいずれか一つに記載の積み重ね可能なショッピングカート。
【請求項６】
支持フィンガー（２２）の突起部分（２３）がフック状に形成されており、かつ支持壁（７）の横方向の棒（１４）を、フラップ（６）の使用状態において後方から把持していることを特徴とする請求項項１〜５のいずれか一つに記載の積み重ね可能なショッピングカート。
【発明の詳細な説明】
【技術分野】
【０００１】
本発明は、品物を収容するためのかごを備え、このかごの背面がかごの内部へ傾斜可能で、幼児を乗せるためのフラップにより形成されており、このフラップが脚用開口部を備えた支持壁と、支持壁において水平方向軸線を中心にして旋回可能に支承され、垂直棒を備えた背壁部と座席板とを備えており、
この座席板が支持壁において水平方向軸線を中心にして運動可能に支承されており、かつ背壁部において支持されていて、この座席板を支持フィンガーを用いて、各支持フィンガーが垂直棒に当接するように後方から把持しており、その際フラップの使用状態−このフラップが幼児を乗せるのに適した−において、背壁部が支持壁から旋回して離間されており、かつフラップの非使用状態において支持壁に当接している様式の、積み重ね可能なショッピングカートに関する。
【背景技術】
【０００２】
この様式のショッピングカートは、出願人の非特許文献１に掲載されている。このショッピングカートのフラップには二つの欠点がある。第一の欠点は、弾性的な合成樹脂製の座席板を組立てる際、座席板を支持壁部と背もたれの間に固定できるように、ほんの一寸さらに曲げなければならないことである。これによって独立した固定手段が得られる。第二の欠点は、ショッピングカートを場所を節約するように互いの中へ押込む際、ショッピングカートの座席板は、フラップが積み重ねられて持ち上がることにより、時折隣接したショッピングカートに引っ掛かってしまうことがあることである。したがってショッピングカートの積み重ねられた山からショッピングカートを取り出すことが困難である。フラップを使用しない状態では座席板は大部分が背もたれの外側にあり、この座席板は、すぐれた運動学に基づいて、フラップが容易に開く場合、比較的広く背もたれの外側から突出する。このように突出すると、今しがた挙げられた不利な引っ掛かりが、隣接した積み重ねにおいて押込められたショッピングカートの部分により生じる。このようにして引っ掛かったショッピングカートを山積みから無理な力で外す時に、避けられない結果として損傷が生じる。
【非特許文献１】宣伝パンフレットNo.ＤＳ１１／９７“カタログNo.１、ショッピングカート”
【発明の開示】
【発明が解決しようとする課題】
【０００３】
本発明の課題は、座席板をフラップに取付けるための組立費用と、それと共に組立費用を削減するように、ここで提示する様式のショッピングカートのフラップを更に発展させかつ改善することである。
【課題を解決するための手段】
【０００４】
上記課題の解決策は、背壁部の二本の隣接した垂直棒の間に、フラップを組立てる際に、支持フィンガーの一つを中に入れるようになっている拡開部分が設けられていること、
および
背壁部を旋回させる際に、座席板がその背壁部と境を接しているその縁部でもって、背壁部の内側に沿って滑動するような構成になっていることにある。
【０００５】
見つけ出された解決策にあって、座席板はフラップを組立てる際もはや強引に曲げて形を損じることはない。むしろ、座席板を支持フィンガーにより拡開部分の高さで予め背壁部の対応する垂直棒の間に挿入すること、座席板を水平方向の短い区間移動させること、引き続いて座席板を垂直棒に沿ってほんの一寸さらに下方へ移動させることを有利な方法で行うことができる。引き続いて、のちに記載されるように、座席板が支持壁部と係止する。
【０００６】
提案された解決策により、背壁部を旋回させる際、座席板が常に背壁部と境を接するその縁部でもって、背壁部の内側に沿って滑動するという他の長所が生じる。重要なことではないが、支持壁部と背壁部はどの位置にあっても、座席板は常に支持壁部と背壁部の間にある。したがって、座席板は他のショッピングカートを積み重ねる際に引っ掛かることはありえない。というのも座席板は支持壁部と背壁部に囲まれているからである。
【発明を実施するための最良の形態】
【０００７】
以下に本発明を実施例に基づき詳細に説明する。
【実施例】
【０００８】
図１に通常の公知の構造のショッピングカート１を示す。走行フレーム２とかご３は円錐形に形成されており、かご３の背面５は上方にある水平軸線４を中心にしてかご内部へ旋回可能である。このように形成されたショッピングカート１は、同じショッピングカート１と共に場所を取らないで互いの中へ押込められ、したがって積み重ねられる。かご３の背面５はいわゆるフラップ６として形成されている。すなわちフラップ６は支持壁部７と背壁部１２とを備え、これらの支持壁部と背壁部は座席板２０を担持しており、したがってこのようなフラップ６は幼児が座っている姿勢で乗る位置内にある。その際この目的で、支持壁７は二つの脚用開口部８を備えている。背壁部１２は支持壁７において、下方にある水平軸線１０を中心にして旋回可能に支承されており、かつ使用位置から、図示されているように、支持壁部７の方に旋回し、そして再度元の方向へ旋回することができる（双方向矢印を見よ）。その際、座席板２０は対応する回避的運動を行う。
【０００９】
図２に背壁部１２の外側１３を見た使用位置にあるフラップ６を示す。支持壁７の下方にあって、横棒９により形成されており、背壁部１２が旋回可能に支承されている水平軸線１０があることがわかる。さらに、幼児用の支持壁７内にある両方の脚用開口部８があることがわかる。脚用開口部８の下方縁部において、支持壁部７は横棒１１を備えている。脚用開口部８は垂直棒１７により区切られており、垂直棒は横棒１１の下方で支持壁７の大部分を形成している。横棒１１には、好ましくはプラスチックから成る座席板２０がスナップ止めで取付けられている。背壁部１２は同様に横棒１４を備えており、この横棒から垂直棒１７が上方に案内されている。垂直棒１７は背壁部１２の上半分の大部分を形成している。さらにこの垂直棒は、幼児用の背もたれ１９も形成している。背壁部１２と境を接している座席板２０の縁部２１には、二つの支持フィンガー２２が設けられており、しかも鏡像的に設けられている。支持フィンガー２２は各々二つの垂直棒１７間で中に入り、かつ水平方向に延びている突起部２３により、各々垂直棒１７を把持している。さらに、支持フィンガー２２は横棒１４に載っており、したがって座席板２０は、フラップ６の使用位置において十分に下方へと支持されている。図において左側にあって、支持フィンガーにより後ろで係合された垂直棒１７ａは、背壁部の上領域内において、近くに置かれていて、上方から下方へと案内された背壁部１２の縁部１６に対して、外側へと段差を形成されているかあるいは曲折されている。したがって、それにより図においてさらに右手にある垂直な隣接した棒１７ｂと協働して、拡開部分１８が形成されており、その水平方向の適度な幅Ａは、垂直棒１７間における同様に適度な間隔Ｂよりも広い。拡開部分１８により座席板２０と背壁部１２の組立が楽になる。フラップ６を組立てる際に、まず第一に背壁部１２を支持壁７の下方にある横棒９において適当な方法で固定する。続いて、支持フィンガー２２を有する座席板２０は、予め各々両方のそのために設けられた垂直棒１７ａと１７ｂならびに１７により後ろで把持されており、その際図において左手に示した支持フィンガー２２は拡開部分１８を通過する。この位置で、座席板２０により水平方向の運動−図では右方向に−が行われねばならず、その後座席板２０をほんの一寸さらに下方へと移動させ、しかも支持フィンガー２２が寸法Ｂで示された幅内にあるように移動させる。支持壁７をほんの一寸さらに背壁部７の方へと旋回させると、座席板２０はその両方の部分２４によりスナップ止めで横棒１１に取付けることができ、したがって座席板２０は支持壁７に枢着するように拘束されている（右手に示した矢印の順番を見よ）。次に支持壁７が背壁部１２から運動して離間すると、支持フィンガー２２が横棒１４に載り、かつ同時にその垂直棒１７ａと１７に当接するまで、支持フィンガー２２とそれに伴い座席板２０は大体において下方へ移動する。この当接位置において、フラップ６はその使用状態につく。
【００１０】
図３はフラップ６を側面外観図で示しており、この場合、背壁部は１２ほんの一寸さらに支持壁部７に対して近づくように旋回されている。この配設は再度図１に示すように選択されている。支持壁部７，背壁部１２および座席板２０の間の運動学は、すでに図２で説明したように、背壁部１２が支持壁部７に近づくように旋回する際、座席板２０が水平軸線１１ａを中心にして上方へ移動するように選択されている。その際、座席板は背壁部１２と境を接しているその縁部２１でもって、背壁部１２の内側２５に沿って滑動する。
【００１１】
座席板２０には二つ以上の支持フィンガー２２と部分２４が設けられていてもよい。さらに、支持フィンガー２２の突起部２３は鉤状に曲がっているので、この突起部はフラップ６の使用状態において背壁部７の横棒１４を後方から把持し、したがってさらにこの突起部は背壁部７がフラップ６の使用状態において十分支持されていることに役立っている。
【図面の簡単な説明】
【００１２】
【図１】積み重ね可能なショッピングカートの図である。
【図２】使用位置におけるフラップの図である。
【図３】閉じられたフラップの部分図である。
【符号の説明】
【００１３】
１      ショッピングカート
２      走行フレーム
３      かご
４      軸線
５      背面
６      フラップ
７      支持壁部
８      脚用開口部
９      横棒
１０    軸線
１１    横棒
１２    背壁部
１３    外側
１４    横棒
１７    垂直棒
１７ｂ  垂直棒
１８    脚用開口部
１９    背もたれ
２０    座席板
２１    縁部
２２    支持フィンガー
２３    突起部
２４    部分
２５    内側
【図１】
2006505446.tif 000003
【図２】
2006505446.tif 000004
【図３】
2006505446.tif 000005
【国際調査報告】
2006505446.tif 000006
2006505446.tif 000007
2006505446.tif 000008
2006505446.tif 000009